(57)【要約】【課題】電源回路を構成する受動部品の厚さを考慮することなくモジュール設計を進めることができる電気光学装置及びカラーフィルター基板並びに電子機器を提供する。【解決手段】複数の画素が行列状に配列されてなる画素部を有する第１の基板１１と、第１の基板１１に対向して配置される第２の基板１２と、第１の基板１１と第２の基板１２との間に挟持されてなる電気光学物質１３とを備える電気光学装置１において、所定の電圧を生成し、生成した前記電圧を各部に供給する電源回路１６を備え、第２の基板１２に、電源回路１６を構成する受動素子２０が設けられていることを特徴とする。【選択図】図３
2007304388.tif 000002
【特許請求の範囲】
【請求項１】
複数の画素が行列状に配列されてなる画素部を有する第１の基板と、前記第１の基板に
対向して配置される第２の基板と、前記第１の基板と前記第２の基板との間に挟持されて
なる電気光学物質とを備える電気光学装置において、
所定の電圧を生成し、生成した前記電圧を各部に供給する電源回路を備え、
前記第２の基板に、前記電源回路を構成する受動素子が設けられていることを特徴とす
る電気光学装置。
【請求項２】
請求項１に記載の電気光学装置において、
前記第１の基板に、前記電源回路を構成する能動素子が設けられていることを特徴とす
る電気光学装置。
【請求項３】
請求項１乃至２に記載の電気光学装置において、
前記第２の基板は、赤（Ｒ）、緑（Ｇ）及び青（Ｂ）の画素が周期的に並んだカラーフ
ィルターを有し、各画素の境界及び表示に供する最外周画素の外側に遮光部が形成されて
おり、当該遮光部上に前記電源回路を構成する受動素子が形成されていることを特徴とす
る電気光学装置。
【請求項４】
請求項３に記載の電気光学装置において、
前記第２の基板は、前記遮光部が所定の金属材料により形成されており、前記遮光部の
上部に所定の誘電体材料が形成され、前記誘電体材料の上部に所定の金属材料が形成され
ることにより前記受動素子が構成されていることを特徴とする電気光学装置。
【請求項５】
請求項３に記載の電気光学装置において、
前記第２の基板は、前記遮光部が所定の樹脂材料により形成されており、前記遮光部の
上部に所定の金属材料が形成され、前記金属材料の上部に所定の誘電体材料が形成され、
前記誘電体材料の上部に所定の金属材料が形成されることにより前記受動素子が構成され
ていることを特徴とする電気光学装置。
【請求項６】
請求項３乃至５のいずれか１項に記載の電気光学装置において、
前記第１の基板と前記第２の基板との間には、前記受動素子と前記能動素子とを電気的
に導通するための導通部が設けられていることを特徴とする電気光学装置。
【請求項７】
複数の画素が行列状に配列されてなる画素部を有するアレイ基板に対向して配置され、
異なる色を発光する画素が周期的に並んでカラーフィルターを構成し、前記画素間に遮光
部を有し、電気光学物質を対向基板との間で挟持するカラーフィルター基板において、
所定の電圧を生成し、生成した前記電圧を各部に供給する電源回路を構成する受動素子
が任意の場所に設けられていることを特徴とするカラーフィルター基板。
【請求項８】
請求項７に記載のカラーフィルター基板において、
前記遮光部が所定の金属材料により形成されており、前記遮光部の上部に所定の誘電体
材料が形成され、前記誘電体材料の上部に所定の金属材料が形成されることにより前記受
動素子が構成されていることを特徴とするカラーフィルター基板。
【請求項９】
請求項７に記載のカラーフィルター基板において、
前記遮光部が所定の樹脂材料により形成されており、前記遮光部の上部に所定の金属材
料が形成され、前記金属材料の上部に所定の誘電体材料が形成され、前記誘電体材料の上
部に所定の金属材料が形成されることにより前記受動素子が構成されていることを特徴と
するカラーフィルター基板。
【請求項１０】
請求項１乃至６のいずれか１項に記載の電気光学装置を備えたことを特徴とする電子機
器。
【発明の詳細な説明】
【技術分野】
【０００１】
本発明は、所定の情報を表示する電気光学装置及びカラーフィルター基板並びに電子機
器に関する。
【背景技術】
【０００２】
従来より、映像を表示する液晶表示装置が知られている。この液晶表示装置は、例えば
、液晶パネルと、この液晶パネルを駆動する駆動回路とを有する電気光学装置と、液晶パ
ネルの背面側から光を照射するバックライト等の光源部とを備える。
【０００３】
また、駆動回路は、入力される基準電圧に基づいて各種の所定の電圧を生成する電源回
路と、外部から入力される信号に基づいて信号処理を行う液晶コントローラと、液晶コン
トローラからの指示に基づいて、外部から入力される映像信号を液晶パネルに出力する水
平駆動回路と、液晶コントローラからの指示に基づいて走査パルスを液晶パネルに出力す
る垂直駆動回路とから構成されている。
【０００４】
また、液晶パネルは、アクティブマトリクス型の場合には、互いに直交して配置される
複数本の信号線と走査線との交点ごとに薄膜トランジスタ（TFT、Thin  Film  Transisto
r）を介して画素電極が配置されてなる画素部を有するアレイ基板と、このアレイ基板に
対向する対向電極が形成されてなる対向基板との間に、配向膜を介して液晶等の電気光学
物質が挟持されて構成されている。
【０００５】
また、電気光学装置は、所定の電圧を生成し、生成した電圧を当該装置の各部に供給す
る電源回路を備えている。また、電源回路は、複数のＣ，Ｒ等の受動素子と、スイッチン
グ素子等の能動素子とから構成されている。
【特許文献１】特開２００２−１７５０３４号公報
【発明の開示】
【発明が解決しようとする課題】
【０００６】
また、最近では、モジュールのコンパクト化に対する要請があり、当該要請に応えるべ
く、種々の技術が提案されている（例えば、特許文献１参照。）。
【０００７】
しかしながら、電源回路を構成する受動素子は、比較的大きなスペースを必要とするた
め、液晶パネルを構成する基板上に単に配置してしまうと、画素部周辺のスペース（以降
、額縁幅という）を拡大化してしまう問題がある。
【０００８】
一方で、電源回路を構成する受動素子をフレキ基板（ＴＣＰ，Tape  Carrier  Package
）上に配置すると、受動素子の高さのために、モジュール全体として厚くなってしまい、
コンパクト化の要請に応えることが困難となる。
【０００９】
そこで、本発明では、液晶パネルを構成する基板の額縁幅の拡大化を伴うことなく電源
回路を構成する受動素子を液晶パネルの基板上に形成する電気光学装置及びカラーフィル
ター基板並びに電子機器を提供することを目的とする。
【課題を解決するための手段】
【００１０】
本発明の電気光学装置は、複数の画素が行列状に配列されてなる画素部を有する第１の
基板と、前記第１の基板に対向して配置される第２の基板と、前記第１の基板と前記第２
の基板との間に挟持されてなる電気光学物質とを備える電気光学装置において、所定の電
圧を生成し、生成した前記電圧を各部に供給する電源回路を備え、前記第２の基板に、前
記電源回路を構成する受動素子が設けられていることを特徴とする。
【００１１】
このような発明によれば、電源回路を構成する受動素子を第２の基板に設けることによ
り、フレキ基板上に受動素子を設ける構成ではないので、部材の厚さを考慮することなく
モジュール設計を進めることができ、また、第１の基板に受動素子を設ける構成でないた
め、第１の基板の額縁幅を増大することがない。
【００１２】
また、本発明の電気光学装置は、前記第１の基板に、前記電源回路を構成する能動素子
が設けられていることが好ましい。
【００１３】
この発明によれば、第２の基板側に電源回路の受動素子を設け、第１の基板側に能動素
子を設けることにより、電源回路の構成要素をフレキ基板上に設けないので、部材の厚さ
を考慮することなくモジュール設計を進めることができ、また、電源回路の構成要素を第
１の基板と第２の基板にバランスよく分けて配するので、両基板の空きスペースを有効利
用することができる。
【００１４】
また、本発明の電気光学装置に備えられている前記第２の基板は、赤（Ｒ）、緑（Ｇ）
及び青（Ｂ）の画素が周期的に並んだカラーフィルターを有し、各画素の境界及び表示に
供する最外周画素の外側に遮光部が形成されており、当該遮光部上に前記電源回路を構成
する受動素子が形成されていることが好ましい。
【００１５】
この発明によれば、第２の基板側に電源回路の受動素子を設け、第１の基板側に能動素
子を設けることにより、電源回路の構成要素をフレキ基板上に設けないので、部材の厚さ
を考慮することなくモジュール設計を進めることができ、また、電源回路の構成要素を第
１の基板と第２の基板にバランスよく分けて配するので、両基板の空きスペースを有効利
用することができる。
【００１６】
また、本発明の電気光学装置に備えられている第２の基板は、前記遮光部が所定の金属
材料により形成されており、前記遮光部の上部に所定の誘電体材料が形成され、前記誘電
体材料の上部に所定の金属材料が形成されることにより前記受動素子が構成されているこ
とが好ましい。
【００１７】
例えば、スイッチング素子等の能動素子を基板上に形成する場合には、Ｓｉ膜を形成す
る必要があるが、受動素子を形成する場合には、必ずしもＳｉ膜を形成する必要がない。
したがって、この発明によれば、受動素子を形成するプロセスを簡易に追加することがで
きる。また、この発明によれば、受動素子を遮光部の上部に形成するので、受動素子の形
成に伴う額縁幅の増大が不要となる。また、この発明によれば、遮光部を受動素子の一部
として利用することができる。
【００１８】
また、本発明の電気光学装置に備えらえている第２の基板は、前記遮光部が所定の樹脂
材料により形成されており、前記遮光部の上部に所定の金属材料が形成され、前記金属材
料の上部に所定の誘電体材料が形成され、前記誘電体材料の上部に所定の金属材料が形成
されることにより前記受動素子が構成されていることが好ましい。
【００１９】
例えば、スイッチング素子等の能動素子を基板上に形成する場合には、Ｓｉ膜を形成す
る必要があるが、受動素子を形成する場合には、必ずしもＳｉ膜を形成する必要がない。
したがって、この発明によれば、受動素子を形成するプロセスを簡易に追加することがで
きる。また、この発明によれば、受動素子を遮光部の上部に形成するので、受動素子の形
成に伴う額縁幅の増大が不要となる。
【００２０】
また、本発明の電気光学装置では、前記第１の基板と前記第２の基板との間には、前記
受動素子と前記能動素子とを電気的に導通するための導通部が設けられていることが好ま
しい。
【００２１】
この発明によれば、同一基板上に配置されていない電源回路の受動素子と能動素子とを
電気的に導通することができ、同一基板上に配置されている従来の電気光学装置と同一の
機能を発揮でき、かつ、基板の額縁幅を平面方向に増大することがない。
【００２２】
また、本発明のカラーフィルター基板は、複数の画素が行列状に配列されてなる画素部
を有するアレイ基板に対向して配置され、異なる色を発光する画素が周期的に並んでカラ
ーフィルターを構成し、前記画素間に遮光部を有し、電気光学物質を対向基板との間で挟
持するカラーフィルター基板において、所定の電圧を生成し、生成した前記電圧を各部に
供給する電源回路を構成する受動素子が任意の場所に設けられていることを特徴とする。
【００２３】
この発明によれば、カラーフィルター基板の任意の場所に電源回路を構成する受動素子
が設けられており、フレキ基板上に受動素子を設ける構成ではないので、部材の厚さを考
慮することなくモジュール設計を進めることができる。
【００２４】
また、本発明のカラーフィルター基板は、前記遮光部が所定の金属材料により形成され
ており、前記遮光部の上部に所定の誘電体材料が形成され、前記誘電体材料の上部に所定
の金属材料が形成されることにより前記受動素子が構成されていることが好ましい。
【００２５】
例えば、スイッチング素子等の能動素子を基板上に形成する場合には、Ｓｉ膜を形成す
る必要があるが、受動素子を形成する場合には、必ずしもＳｉ膜を形成する必要はない。
したがって、この発明によれば、受動素子を形成するプロセスを簡易に追加することがで
きる。また、この発明によれば、遮光部を利用して受動素子を形成するので、受動素子の
形成に伴う額縁幅の増大を抑えることができる。また、この発明によれば、カラーフィル
ター基板の任意の場所に電源回路を構成する受動素子が設けられており、フレキ基板上に
受動素子を設ける構成ではないので、部材の厚さを考慮することなくモジュール設計を進
めることができる。
【００２６】
また、本発明のカラーフィルター基板は、前記遮光部が所定の樹脂材料により形成され
ており、前記遮光部の上部に所定の金属材料が形成され、前記金属材料の上部に所定の誘
電体材料が形成され、前記誘電体材料の上部に所定の金属材料が形成されることにより前
記受動素子が構成されていることが好ましい。
【００２７】
例えば、スイッチング素子等の能動素子を基板上に形成する場合には、Ｓｉ膜を形成す
る必要があるが、受動素子を形成する場合には、必ずしもＳｉ膜を形成する必要はない。
したがって、この発明によれば、受動素子を形成するプロセスを簡易に追加することがで
きる。また、この発明によれば、遮光部を利用して受動素子を形成するので、受動素子の
形成に伴う額縁幅の増大を抑えることができる。また、この発明によれば、カラーフィル
ター基板の任意の場所に電源回路を構成する受動素子が設けられており、フレキ基板上に
受動素子を設ける構成ではないので、部材の厚さを考慮することなくモジュール設計を進
めることができる。
【００２８】
さらに、本発明の電子機器は、上述の電気光学装置を備えたことを特徴とする。
この発明によれば、上述した効果と同様の効果がある。
【発明を実施するための最良の形態】
【００２９】
以下、本発明の実施形態を図面に基づいて説明する。なお、以下の実施形態においては
、アクティブマトリクス型の駆動方式を採用する電気光学装置について説明を行うが、ア
クティブマトリクス型に限られるものではない。
【００３０】
本発明に係る電気光学装置１は、図１（ａ）に示すように、複数の画素が行列状に配列
されてなる画素部１０を有する第１の基板（以降、アレイ基板と呼ぶ）１１と、アレイ基
板１１に対向して配置され、画素部１０に対応して設けられた複数色のカラーフィルター
（CF、Color  Filter）を有する第２の基板（以降、対向基板と呼ぶ）１２と、アレイ基
板１１と対向基板１２との間に挟持されてなる液晶等の電気光学物質１３とを備える。
【００３１】
ここで、アレイ基板１１と、対向基板１２の構成について図２を用いて詳述する。アレ
イ基板１１は、図２に示すように、所定間隔おきに設けられた複数の走査線１１０と、こ
れら走査線１１０に略直交し所定間隔おきに設けられた複数のデータ線１２０と、複数の
走査線１１０と略平行かつ交互に設けられた容量線１４０とを備える。なお、図２中、走
査線１１０のうち上から順に、走査線１１０Ａ、１１０Ｂ、１１０Ｃとし、データ線１２
０のうち左から順に、データ線１２０Ａ、１２０Ｂとする。
【００３２】
また、各走査線１１０と各データ線１２０との交差部分には、画素１５０が設けられて
いる。この画素１５０は、ＴＦＴ（Thin  Film  Transistor）１５１のほか、画素電極１
５５、及びこの画素電極１５５に一端が接続され他端が容量線１４０に接続された蓄積容
量１５３で構成される。
【００３３】
また、ＴＦＴ１５１のゲートには、走査線１１０が接続され、ＴＦＴ１５１のソースに
は、データ線１２０が接続され、ＴＦＴ１５１のドレインには、画素電極１５５及び蓄積
容量１５３が接続されている。このＴＦＴ１５１は、走査線１１０からの選択電圧に応じ
て、データ線１２０を画素電極１５５及び蓄積容量１５３に断続する。具体的には、走査
線１１０に選択電圧が印加されると、データ線１２０と画素電極１５５及び蓄積容量１５
３とを導通状態とする。
【００３４】
対向基板１２には、画素電極１５５に対向して共通電極１５６が形成されており、これ
ら共通電極１５６は、コモン線１３０に接続されている。なお、コモン線１３０は、アレ
イ基板１１側に配置されている。
【００３５】
また、電気光学装置１は、図１（ｂ）に示すように、画素部１０の各画素を行単位で選
択する垂直駆動回路（以降、走査線駆動回路と呼ぶ）１４と、走査線駆動回路１４により
選択された行の各画素に対して画像信号を供給する水平駆動回路（以降、データ線駆動回
路と呼ぶ）１５と、走査線駆動回路１４とデータ線駆動回路１５とに所定の電圧を供給す
る電源回路１６と、所定のタイミング制御信号を生成し、生成したタイミング制御信号を
走査線駆動回路１４及びデータ線駆動回路１５に供給するタイミング・コントロール（Ｔ
／Ｃ）部１７と、走査線１１０及びデータ線１２０にそれぞれ対応する信号を入出力する
ためのフレキ基板（ＴＣＰ，Tape  Carrier  Package）１８を備える。
【００３６】
走査線駆動回路１４は、上述したＴＦＴ１５１をオン、オフする選択電圧を各走査線１
１０に線順次で供給する。例えば、ある走査線１１０に制御信号が供給されると、この走
査線１１０に接続されたＴＦＴ１５１が全てオンになり、この走査線１１０に係る画素が
全て選択される。
【００３７】
データ線駆動回路１５は、画像信号を各データ線１２０に供給し、オン状態のＴＦＴ１
５１を介して、画素１５０の画素電極１５５に画像データを順次書き込む。ここで、デー
タ線駆動回路１５は、共通電極１５６の電圧を基準電圧として、この共通電極１５６の電
圧よりも高い電圧でデータ線１２０に画像信号を供給する正極性書込と、共通電極１５６
の電圧よりも低い電圧でデータ線１２０に画像信号を供給する負極性書込とを交互に行う
。
【００３８】
このデータ線駆動回路１５は、液晶の焼付けを防止するため、例えば、交流電圧を用い
て１水平ラインごとに交互に正極性書込または負極性書込を行う１Ｈ反転駆動方式で駆動
される。
【００３９】
また、電源回路１６は、例えば、コンデンサを利用して電圧の昇圧または降圧を行うチ
ャージポンプ方式を採用しており、外部から供給される電圧に基づいて所定の電圧を生成
し、生成した電圧を走査線駆動回路１４及びデータ線駆動回路１５に供給する。また、電
源回路１６は、コンデンサ、抵抗等の受動素子２０と、トランジスタ等の能動素子２１と
から構成されている。
【００４０】
また、電源回路１６の受動素子２０と能動素子２１とは、アレイ基板１１及び対向基板
１２にそれぞれ振り分けられて配置されている。
【００４１】
＜第１の実施例＞
ここで、電源回路１６の受動素子２０と能動素子２１とがアレイ基板１１及び対向基板
１２に対してどのように振り分けて配置されているのかについて具体的に説明する。なお
、以下では、ガラス基板上に直接素子を実装する技術（COG、Chip  On  Glass）による場
合と、ガラス基板上にシステム構成自体を実装する技術（SOG、System  On  Glass）によ
る場合について説明する。また、図３（ａ）には、ＣＯＧによる場合の従来の構成例（電
源回路を構成する能動素子が内蔵されたドライバーＩＣ３０がガラス基板上に実装され、
電源回路を構成する受動素子がフレキ基板１８上に配置されている）を示し、また、図４
（ａ）には、ＳＯＧによる場合の従来の構成例（電源回路を構成する能動素子がガラス基
板上に実装され、電源回路を構成する受動素子がフレキ基板１８上に配置されている）を
示す。
【００４２】
ＣＯＧの場合においては、図３（ｂ）、（ｃ）に示すように、電源回路１６の受動素子
２０は、対向基板１２の空きスペースに配置される。なお、図３（ｂ）は、電気光学装置
１を対向基板１２の側から見た上面図であり、図３（ｃ）は、電気光学装置１の断面図で
ある。また、対向基板１２は、アレイ基板１１よりも表面積が小さい。また、図３（ａ）
、（ｂ）中に示す線Ａは、対向基板１２のエッジを示している。
【００４３】
したがって、本発明によれば、対向基板１２側に電源回路１６の受動素子２０を設ける
ことにより、従来のように受動素子をフレキ基板１８上に設ける必要がないので、部材の
厚さを考慮することなくモジュール設計を進めることができ、また、電源回路１６の構成
要素をアレイ基板１１と対向基板１２にバランスよく分けて配するので、両基板の空きス
ペースを有効利用することができる。
【００４４】
また、このような構成の場合には、受動素子２０と、ドライバーＩＣとを電気的に導通
するための導通部１００が設けられている。この導通部１００は、アレイ基板１１と対向
基板１２とを接続するための導通部と同じ構造にすることができる。
【００４５】
また、アレイ基板１１と対向基板１２とは、電気光学物質１３を封止するために、シー
ル部材１０１により張り合わされている。また、シール部材１０１に導通材を混入させて
おくことにより、導通部１００は、このシール部材１０１と一体的に構成されていても良
い。また、シール部材に導通材が混入されていない場合には、導通部を別途設けることに
より、シール部材と一体的に構成しなくても良い。
【００４６】
このような構成にすることにより、同一基板上に配置されていない電源回路１６の受動
素子２０とドライバーＩＣとを電気的に導通することができ、同一基板上に配置されてい
る従来の電気光学装置と同一の機能を発揮でき、かつ、基板の額縁幅を平面方向に増大す
ることがない。
【００４７】
また、ＳＯＧの場合においては、図４（ｂ）、（ｃ）に示すように、電源回路１６の受
動素子２０は、対向基板１２の空きスペースに配置され、電源回路１６の能動素子２１は
、アレイ基板１１の空きスペースに配置される。なお、図４（ｂ）は、電気光学装置１を
対向基板１２の側から見た上面図であり、図４（ｃ）は、電気光学装置１の断面図である
。また、対向基板１２は、アレイ基板１１よりも表面積が小さい。また、図４（ａ）、（
ｂ）中に示す線Ａは、対向基板１２のエッジを示している。
【００４８】
したがって、本発明によれば、対向基板１２側に電源回路１６の受動素子２０を設ける
ことにより、従来のように受動素子をフレキ基板１８上に設ける必要がないので、部材の
厚さを考慮することなくモジュール設計を進めることができ、また、電源回路１６の構成
要素をアレイ基板１１と対向基板１２にバランスよく分けて配するので、両基板の空きス
ペースを有効利用することができる。
【００４９】
また、このような構成の場合には、受動素子２０と、能動素子２１とを電気的に導通す
るための導通部１００が設けられている。
【００５０】
また、アレイ基板１１と対向基板１２とは、電気光学物質１３を封止するために、シー
ル部材１０１により張り合わされている。シール部材に導通材を混入しておくことにより
、導通部１００は、このシール部材１０１と一体的に構成されていても良い。また、導通
材を混入していないシール剤を用いない場合には、導通部を別途設けることにより、シー
ル部材と一体に構成しなくても良い。
【００５１】
このような構成にすることにより、同一基板上に配置されていない電源回路１６の受動
素子２０と能動素子２１とを電気的に導通することができ、同一基板上に配置されている
従来の電気光学装置と同一の機能を発揮でき、かつ、基板の額縁幅を平面方向に増大する
ことがない。
【００５２】
＜第２の実施例＞
また、本発明に係る対向基板１２には、赤（Ｒ）、緑（Ｇ）、青（Ｂ）に塗り分けられ
た小さな画素が周期的に並んだカラーフィルター２００が形成されており、バックライト
から発光した光が各色画素を通過することにより、カラー化が行われる。
【００５３】
また、各画素の境界では混色が生じコントラストの低下が起こるため、各画素の境界を
ブラックマトリクス（BM、Black  Matrix）材料等の遮光部２０１により遮光し、表示性
を向上している。さらに、有効表示領域の外側からバックライト光の漏れを防ぎ、表示性
能を向上させるために、有効表示領域の外側にも遮光部を設ける。
【００５４】
また、ブラックマトリクスの材料としては、遮光性、製造の容易性及び耐腐食性などの
理由により、例えば、金属クロム膜（Ｃｒ）が使用されている。また、金属クロム膜は、
遮光性が良い一方で反射率が高く、表示性を損なうという問題があるので、酸化クロム膜
（ＣｒＯ２）等をガラス面側に設け、積層膜とし低反射構造とする方法が採られている。
なお、ブラックマトリクスの材料としては、樹脂材料を使用しても良い。
【００５５】
また、本発明に係る対向基板１２においては、遮光部２０１の上部に電源回路１６を構
成するための受動素子２０が形成されている。
【００５６】
ここで、コンデンサを形成する場合の例について説明する。なお、以下の例では、対向
基板１２Ａは、遮光部２０１が酸化クロム膜（ＣｒＯ２）２０２／金属膜（例えば、Ｃｒ
）２０３／酸化クロム膜（ＣｒＯ２）２０４により形成されており、カラーフィルター２
００の上部に絶縁膜２０５が形成されているものとする。
【００５７】
対向基板１２Ａは、図５（ａ）に示すように、絶縁膜２０５、酸化クロム膜（ＣｒＯ２
）２０４及び金属膜２０３の表面にＩＴＯ膜（ITO、Indium  Tin  Oxide）２０６を形成
する。すなわち、金属膜２０３を一方の電極とし、ＩＴＯ膜２０６を他方の電極として、
両電極間で酸化クロム膜（ＣｒＯ２）２０４を挟持することによりコンデンサ（受動素子
２０）が形成される（図５（ａ）中のＸ）。
【００５８】
また、対向基板１２Ａは、図５（ｂ）に示すように、平坦化膜（例えば、絶縁膜により
形成される）２０５及び金属膜２０３の表面にＩＴＯ膜２０６を形成する。すなわち、金
属膜２０３を一方の電極とし、ＩＴＯ膜２０６を他方の電極として、両電極間で酸化クロ
ム膜（ＣｒＯ２）２０４及び平坦化膜（例えば、樹脂膜等）２０５を挟持することにより
コンデンサ（受動素子２０）が形成される（図５（ｂ）中のＸ）。
【００５９】
また、対向基板１２Ａは、金属膜２０３が所定形状にパターンニングされることにより
抵抗（受動素子２０）が形成される。
【００６０】
したがって、例えば、スイッチング素子等の能動素子２１を基板上に形成する場合には
、Ｓｉ膜を形成する必要があるが、受動素子２０を形成する場合には、Ｓｉ膜を形成する
必要がない。ゆえに、本発明によれば、受動素子２０を形成するプロセスを簡易に追加す
ることができる。また、本発明によれば、遮光部２０１の一部を利用して受動素子２０を
形成するので、受動素子２０の形成に伴う額縁幅の増大を抑えることができる。また、本
発明によれば、対向基板１２Ａの任意の場所に電源回路１６を構成する受動素子２０が設
けられており、フレキ基板１８上に受動素子２０を設ける構成ではないので、部材の厚さ
を考慮することなくモジュール設計を進めることができる。
【００６１】
また、遮光部２０１が所定の樹脂材料により形成されており、また、カラーフィルター
２００の上部に絶縁膜２１０が形成されている場合の例について説明する。対向基板１２
Ｂは、図６（ａ）に示すように、遮光部２０１と対向基板１２Ｂ間にメタル層２１１を形
成し、絶縁膜２１０及び遮光部２０１の表面にＩＴＯ膜２１２を形成する。すなわち、メ
タル層２１１を一方の電極とし、ＩＴＯ膜２１２を他方の電極として、両電極間で遮光部
２０１を挟持することによりコンデンサ（受動素子２０）が形成される（図６（ａ）中の
Ｙ）。
【００６２】
また、対向基板１２Ｂは、図６（ｂ）に示すように、遮光部２０１と対向基板１２との
間にメタル層２１１を形成し、平坦化膜（例えば、絶縁膜により形成される）２１０上に
ＩＴＯ膜２１２を形成する。すなわち、メタル層２１１を一方の電極とし、ＩＴＯ膜２１
２を他方の電極として、両電極間で遮光部２０１及び絶縁膜２１０を挟持することにより
コンデンサ（受動素子２０）が形成される（図６（ｂ）中のＹ）。
【００６３】
また、対向基板１２Ｂは、メタル層が所定形状にパターンニングされることにより抵抗
（受動素子２０）が形成される。
【００６４】
したがって、例えば、スイッチング素子等の能動素子２１を基板上に形成する場合には
、Ｓｉ膜を形成する必要があるが、受動素子２０を形成する場合には、Ｓｉ膜を形成する
必要がない。ゆえに、本発明によれば、受動素子２０を形成するプロセスを簡易に追加す
ることができる。遮光部２０１の一部を利用して受動素子２０を形成するので、受動素子
２０の形成に伴う額縁幅の増大を抑えることができる。また、本発明によれば、対向基板
１２Ａの任意の場所に電源回路１６を構成する受動素子２０が設けられており、フレキ基
板１８上に受動素子２０を設ける構成ではないので、部材の厚さを考慮することなくモジ
ュール設計を進めることができる。
【００６５】
また、上述した実施形態では、本発明を液晶を用いた電気光学装置１に適用したが、こ
れに限らず、液晶以外の電気光学物質を用いた電気光学装置にも適用できる。電気光学物
質とは、電気信号（電流信号または電圧信号）の供給によって透過率や輝度といった光学
的特性が変化する物質である。例えば、有機ＥＬ（Electro−Luminescent）や発光ポリマ
ーなどのＯＬＥＤ素子を電気光学物質として用いた表示パネルなど各種の電気光学装置に
対しても、上記実施形態と同様に本発明が適用され得る。
【００６６】
＜電子機器＞
つぎに、上述した本発明に係る電気光学装置１を適用した電気機器について説明する。
図７に、電気光学装置１を適用した携帯電話機の構成を示す。携帯電話機３０００は、複
数の操作ボタン３００１及びスクロールボタン３００２、並びに表示ユニットとしての電
気光学装置１を有する。携帯電話機３０００は、スクロールボタン３００２を操作するこ
とにより、電気光学装置１上に表示される画面がスクロールされる。
【００６７】
また、電気光学装置１が適用される電子機器としては、携帯電話機３０００の他に、パ
ーソナルコンピュータ、情報携帯端末、デジタルスチルカメラ、液晶テレビ、ビューファ
インダ型、モニタ直視型のビデオテープレコーダ、カーナビゲーション装置、ページャ、
電子手帳、電卓、ワードプロセッサ、ワークステーション、テレビ電話、ＰＯＳ端末、タ
ッチパネルを備えた機器などが挙げられる。そして、これらの各種電子機器の表示部とし
て、前述した電気光学装置が適用可能である。
【図面の簡単な説明】
【００６８】
【図１】本発明の一実施形態に係る電気光学装置の構成を示すブロック図であり、（ａ）は、断面図であり、（ｂ）は、平面図である。
【図２】図１に示す電気光学装置の部分拡大平面図である。
【図３】ＣＯＧにより形成される電気光学装置の構成例を示す図である。
【図４】ＳＯＧにより形成される電気光学装置の構成例を示す図である。
【図５】本発明に係る電気光学装置の第１の実施例を示す断面図である。
【図６】本発明に係る電気光学装置の第２の実施例を示す断面図である。
【図７】上述の電気光学装置を適用した携帯電話機の構成を示す斜視図である。
【符号の説明】
【００６９】
１…電気光学装置、１０…画素部、１１…第１の基板（アレイ基板）、１２、１２Ａ、
１２Ｂ…第２の基板（対向基板）、１３…電気光学物質、１４…垂直駆動回路（走査線駆
動回路）、１５…水平駆動回路（データ線駆動回路）、１６…電源回路、１７…タイミン
グ・コントロール（Ｔ／Ｃ）部、１８…フレキ基板（ＴＣＰ，Tape  Carrier  Package）
、２０…受動素子、２１…能動素子、１００…導通部、１０１…シール部材、１１０、１
１０Ａ、１１０Ｂ、１１０Ｃ…走査線、１２０、１２０Ａ、１２０Ｂ…データ線、１３０
…コモン線、１５０…画素、１５１…ＴＦＴ（スイッチング素子）、１５５…画素電極、
１５６…共通電極、２００…カラーフィルター、２０１…遮光部、２０２、２０４…酸化
膜、２０３…金属膜、２０５、２１０…絶縁膜、２０６、２１２…ＩＴＯ膜。
【図１】
2007304388.tif 000003
【図２】
2007304388.tif 000004
【図３】
2007304388.tif 000005
【図４】
2007304388.tif 000006
【図５】
2007304388.tif 000007
【図６】
2007304388.tif 000008
【図７】
2007304388.tif 000009